(57)【要約】【課題】  超小型化されたマイクロＭＶビデオカメラにおいて、撮影レンズを保護するシャッター機構の小型化と、シャッター機構の破損を回避し、シンプルで簡単な組付けで精度の高いシャッター機構を得る。【解決手段】  超小型化及び軽量化されたビデオカメラの撮影レンズを保護するための開閉可能のシャッター機構を備えた撮像装置において、シャッター機構は、モータ３６により減速機構を介して回転出力する出力軸を有する駆動機構３４と、駆動機構３４の出力軸と係合され、当該出力軸と同軸な軸機構を介して回動されるカム板２４と、カム板２４のカム溝２７と係合され、ビデオカメラ本体部に対して縦向きに上下に摺動し撮影レンズの前面を開閉移動するシャッター板２３と、駆動機構３４には開閉動作中のシャッター板２３に所定以上の外力が加わったとき、出力軸とモータ３６との駆動伝達系が遮断されるクラッチ機構とから構成した。【選択図】  図６ 
2005077574.tif 000002
【特許請求の範囲】
【請求項１】
超小型化及び軽量化されたビデオカメラやデジタルスチルカメラ等のカメラ装置であって、カメラ本体部に撮影レンズを有し、上記撮影レンズを保護するためのレンズカバーである開閉可能のシャッター機構を備えた撮像装置において、
上記シャッター機構は、駆動源となるモータにより減速機構を介して回転出力する出力軸を有する駆動機構と、
上記駆動機構の上記出力軸と係合され、当該出力軸と同軸な軸機構を介して回動されるカム板と、
上記カム板のカム溝と係合され、カメラ本体部に対して縦向きに上下に摺動し上記撮影レンズの前面を開閉移動するシャッター板と、
上記駆動機構には開閉動作中の上記シャッター板に所定以上の外力が加わったとき、上記出力軸と上記モータとの駆動伝達系が遮断されるクラッチ機構と
から構成したことを特徴とする撮像装置。
【請求項２】
請求項１記載の撮像装置において、
上記クラッチ機構は、上記モータと直結されて回転するギアと、上記出力軸と一体化された軸部とが同軸状にフリーに軸支されると共に、上記ギアと上記出力軸との間にクラッチばねが介装され、上記ギアと上記クラッチばねとがフリクション係合されるようにしたことを特徴とする撮像装置。
【請求項３】
請求項１記載の撮像装置において、
上記軸機構は、上記カム板の一方の面に設けた軸孔が上記カメラ本体側の支点軸に軸係合されると共に、上記カム板の他方の面に設けた隆起する割り溝に上記出力軸の先端部に形成したフランジ状軸部が軸係合されるようにしたことを特徴とする撮像装置。
【請求項４】
請求項１記載の撮像装置において、
上記シャッター板に外力が加わり、上記シャッター板が開放されたままの状態となったとき、文字表示あるいは音声で警告を発するようにしたことを特徴とする撮像装置。
【発明の詳細な説明】
【技術分野】
【０００１】
本発明は、超小型化及び軽量化された例えばマイクロＭＶビデオカメラやデジタルスチルカメラ等の撮像装置に関し、撮影レンズを保護するレンズカバーとなるシャッター機構の小型化を可能にし、かつシャッター機構の破損を回避するためのクラッチ機構を備え、シンプルで簡単な組付けで精度の高いシャッター機構を得ることにある。
【背景技術】
【０００２】
近年、ビデオカメラ本体に対しヒンジ機構を介して外付け式に開閉可能にされた液晶表示モニタパネルや、撮影画像を動画や静止画として記録したり、再生したりすることができるようにしたＩＣ記録メディア等からなるメモリカードが装填されるようにしたデジタルビデオカメラの小型化や軽量化が進む中で、更なる小型化や軽量化された、いわゆる手の平の中に納まるサイズのデジタルビデオカメラが開発されつつある。
【０００３】
一方、上述したような超小型化されたデジタルビデオカメラにおいて、撮影レンズを保護するシャッター機構も占有スペースを小さくし、かつシンプルで組付け精度の高いものが要求されている。また、シャッター板がモータの駆動機構により開閉動作中において、シャッター板に誤って外力をかけたようなときにシャッター機構の破損を回避するようにしたり、モータに過負荷がかからないようなセーフティー機構も必要である。
【特許文献１】特開２０００−２６１６９９公報
【発明の開示】
【発明が解決しようとする課題】
【０００４】
ところで、〔特許文献１〕には、レンズカバーが確実に開閉され、カバーに外力が与えられても、カバーの駆動機構に損傷しない小型軽量なレンズカバー装置が開示されている。
【０００５】
上述したレンズカバー装置によれば、カメラの操作モードを選択する回転ダイヤル式操作モード選択スイッチと一体に形成されて撮影時と非撮影時で異なる半径のカムを有するカム部と、略Ｖ字形状で一方の片にカム部に摺動接触する突起部と、他方の片の先端にレンズカバーの一端を係合するレンズカバー駆動腕と、一方の片と他方の片を離反する方向に付勢するスプリングと、このスプリングによる離反を規制するストッパー片と及び一方の片の突起部をカム部に常時摺動接触するように付勢する弾性部材とからなる駆動レバーと、カム部に連動した駆動レバーでレンズ取付開口をレンズカバーで開閉するようにしたものである。このように構成したレンズカバー装置では、構造が極めて複雑であり、超小型化されたデジタルビデオカメラには適していない。また、所謂写真機のように横長で撮影レンズの付いている面が広い形状の撮像装置では簡単に組込むことが出来るが、所謂ビデオカメラのような側面部が広い面であって保持部を有し、撮影レンズの付いている面は縦長の横幅の狭い形状の撮影装置には適していない。
【課題を解決するための手段】
【０００６】
上記の課題を解決し、本発明の目的を達成するため、本発明による請求項１記載の撮像装置は、超小型化及び軽量化されたビデオカメラやデジタルスチルカメラ等のカメラ装置であって、カメラ本体部に撮影レンズを有し、撮影レンズを保護するためのレンズカバーである開閉可能のシャッター機構を備えた撮像装置において、シャッター機構は、駆動源となるモータにより減速機構を介して回転出力する出力軸を有する駆動機構と、駆動機構の出力軸と係合され、当該出力軸と同軸な軸機構を介して回動されるカム板と、カム板のカム溝と係合され、カメラ本体部に対して縦向きに上下に摺動し撮影レンズの前面を開閉移動するシャッター板と、駆動機構には開閉動作中のシャッター板に所定以上の外力が加わったとき、出力軸とモータとの駆動伝達系が遮断されるクラッチ機構とから構成したことを特徴とする。
【０００７】
また、請求項２記載の撮像装置は、クラッチ機構は、モータと直結されて回転するギアと、出力軸と一体化された軸部とが同軸状にフリーに軸支されると共に、ギアと出力軸との間にクラッチばねが介装され、ギアとクラッチばねとがフリクション係合されるようにしたことを特徴とする。
【０００８】
また、請求項３記載の撮像装置は、軸機構は、カム板の一方の面に設けた軸孔がカメラ本体側の支点軸に軸係合されると共に、カム板の他方の面に設けた隆起する割り溝に出力軸の先端部に形成したフランジ状軸部が軸係合されるようにしたことを特徴とする。
【０００９】
また、請求項４記載の撮像装置は、シャッター板に外力が加わり、シャッター板が開放されたままの状態となったとき、文字表示あるいは音声で警告を発するようにしたことを特徴とする。
【発明の効果】
【００１０】
本発明の請求項１の撮像装置によれば、開閉動作中のシャッター板を指等でその開閉動作を妨げたとしても、クラッチ機構によって出力軸とモータとの駆動伝達系が遮断され、モータに過負荷が加わることもなくシャッター機構等の破損を防止することができる。
【００１１】
また、請求項２の撮像装置によれば、クラッチ機構がフリクション係合であるので、出力軸とモータとの駆動伝達系の遮断を複雑な機構を用いることなく確実に行うことができる。
【００１２】
また、請求項３の撮像装置によれば、カメラ本体側の支点軸とカム板の軸孔と出力軸のフランジ状軸部との芯出しを簡単な構成で容易に行うことができる。
【００１３】
また、請求項４の撮像装置によれば、シャッター板に外力が加わり、閉止されなかった状態を文字表示あるいは音声によってユーザーが認識することができる。
【発明を実施するための最良の形態】
【００１４】
以下、本発明による撮像装置の最良の形態を超小型化された例えば、マイクロＭＶビデオカメラを例にとって図面を参照して説明する。
【００１５】
図１はマイクロＭＶビデオカメラのモニタ表示パネルをビデオカメラ本体（以下、ビデオカメラ本体という）に収納した状態で、撮影レンズ側から見た外観斜視図、図２は同じくモニタ表示パネルを収納した状態で、背面側から見た外観斜視図、図３は同じくモニタ表示パネルを収納した状態で、ビデオカメラ本体の底面を見た外観斜視図、図４はモニタ表示パネルを開放した通常の撮影状態で、ビデオカメラ本体の背面側から見た外観斜視図である。
【００１６】
各図において、ビデオカメラ本体１は全体の形状が幅方向には薄いやや縦長の長方形状であり、手の平の中に納まるような超小型のサイズである。また、ビデオカメラ本体１の外筐体を構成するパネル材は例えば、マグネシウム合金材やアルミ材あるいはＡＢＳ樹脂等から成形され、ビデオカメラ本体１のパネル材を薄く加工できることから軽量化及び小型化を可能にしている。特に、パネル材をマグネシウム合金材から成形することにより、軽量化と共に高い剛性のある外筐体とすることができる。
【００１７】
まず、ビデオカメラ本体の全体の構成について説明する。ビデオカメラ本体１の前面上部には撮影レンズ部２があり、その前面には撮影レンズ部２を保護するための後述するレンズカバーであるシャッター板を有するシャッター機構により開閉できるようになっている。撮影レンズ部２の下部はビデオカメラ本体１を保持したときのグリップ部３である。ビデオカメラ本体１の背面上部には録画スタート／ストップボタン４と、この録画スタート／ストップボタン４に隣接してズームレバー５と、このズームレバー５の下部に静止画撮影のためのフォトボタン６が配置されている。また、フォトボタン６の下部には電源スイッチやバッテリーの充電のためのオン／オフ、記録媒体となるテープカセットに記録するためのカメラモード／メモリカードに切り換えるためのスライドレバー７がある。
【００１８】
また、スライドレバー７の下部にはカセット蓋８を開閉するためのカセット取出しレバー９が配置されている。カセット蓋８を開放することにより図示しないテープローディング機構へのテープカセットの装填／取出しが行える。尚、符号１０はビデオカメラ本体１の上面に配置されている集音マイクである。
【００１９】
また、図３において、ビデオカメラ本体１の底面にはコネクタ端子部１１がある。このコネクタ端子部１１は、当該ビデオカメラ本体１が図示しないクレイドルの回転可能な載置部に搭載されて電気的に搭載され、撮影レンズ２を前面にして電源を入れたときにはビデオカメラ本体１が撮影モード状態となり、また、後述する液晶表示パネルを前面に向けて電源を入れたときには再生モードとなるようにされるものである。
【００２０】
また、図２において、ビデオカメラ本体１の他側面の上部にはストラップ取付金具１２があり、このストラップ取付具１２にストラップ１３が取り付けられている。
【００２１】
図４において、ビデオカメラ本体１の左側面の上部にはモニタ表示パネルである液晶表示パネル１４が配置されている。液晶表示パネル１４はビデオカメラ本体１に対して、Ｘ軸方向とＹ軸方向とに回動可能な２軸ヒンジ機構１５により外付けされている。
【００２２】
液晶表示パネル１４はその外筐体はビデオカメラ本体１と同様に例えば、軽量化と高い剛性のあるマグネシウム合金材から成形され、液晶表示パネル１４の裏面側に液晶表示画面１６を有する。液晶表示パネル１４を図４に示したようにＸ軸を支点にして９０°開放したときが通常の撮影モード状態であり、液晶表示画面１６に映るモニタ画像を見ながら撮影する。また、液晶表示パネル１４は図示しないがＹ軸を支点にして仰角方向に回転可能であり、撮影者が液晶表示画面１６を見やすい角度にして撮影することもできる。
【００２３】
さらに、液晶表示パネル１４は図４の状態からＹ軸を支点にして１８０°反転可能であり、液晶表示画面１６を撮影レンズ２側、つまり被写体方向に向けることもできる。これによって、撮影者自身を撮影したり、被写体となる人物が液晶表示画面１６に映る画像を見ることもできる。なお、液晶表示パネル１４の下部のビデオカメラ本体１の部分には着脱式の２次電池からなるバッテリーＢが取り付けられている。
【００２４】
液晶表示パネル１４をビデオカメラ本体１側に閉止し、格納した状態が図１及び図２である。この際、液晶表示パネル１４はその外端部に設けた凹部１７がビデオカメラ本体１側の図示しないばねにより付勢されているフック部材１８によりロックされる。
【００２５】
また、液晶表示パネル１４の外端部と並行し隣接したビデオカメラ本体１の背面位置にメモリカード１９のカード挿入口２０が設けられている。カード挿入口２０から挿入されるメモリカードは、動画や静止画を記録するためのＩＣ記録メディア等であり、カード挿入口２０から挿入されたメモリカード１９はプッシュすることによって図示しないメモリカードホルダに格納され、再びプッシュすることでメモリカードホルダからメモリカード１９の後端部が飛び出すことのできる、いわゆるプッシュ・プッシュ式である。
【００２６】
ここで、本発明の要部であるシャッター機構を図５〜図１０について説明する。図５はシャッター機構をビデオカメラ本体１の前面側から見た分離状態の斜視図、図６は同じくシャッター機構をビデオカメラ本体１の背面側から見た分離状態の斜視図、図７はシャッター機構を駆動するためのモータを有し、本発明の要部であるクラッチ機構を備えた駆動機構の組付け状態の斜視図，図８はクラッチ機構を示した図７のＡ−Ａ線断面図、図９ａはシャッター板が閉じた状態をビデオカメラ本体１の背面側から見た動作図、図９ｂは同じくシャッター板が開放した状態をビデオカメラ本体１の背面側から見た動作図である。
【００２７】
各図において、符号２１がビデオカメラ本体１の前面筐体を構成する前面パネルであって、軽量化と共に高い剛性のある例えば、マグネシウム合金材から成形されている。前面パネル２１の上部には撮影レンズ部２のための窓孔２２が開口されている。この窓孔２２の背面側にレンズカバーとなるシャッター板２３が上下方向に移動し、窓孔２２を開閉可能にする。
【００２８】
シャッター板２３はその前面から突出したガイドピン２３ａが前面パネル２１の背面に形成した縦向きのガイド溝２１ａに係合されて上下方向に移動可能にされている。このシャッター板２３はカム板２４によって移動される。カム板２４はその前面の一端側に設けた支点軸孔２５が前面パネル２１の背面に設けた支点軸２６に係合されて回動可能にされ、カム板２４の支点軸孔２５とは離れた他端側に形成したカム溝２７にシャッター板２３の端部に設けたカムピン２８が係合されるように組付けられる。また、カム板２４の背面側には支点軸孔２５と同軸上にやや隆起するようにした割り溝２９が設けられている。この割り溝２９に後述するモータを有する駆動機構の出力軸が係合され、カム板２４を回動する。
【００２９】
そして、上述したシャッター板２３及びカム板２４は図示しない撮像レンズを保持するレンズホルダ３０を有する押さえ板３１によって前面パネル２１とで挟み付けられ、押さえ板３１はその取付部３１ａ，３１ｂを介して前面パネル２１の止め部２１ｂ，２１ｃにねじ３２，３３によって固定される。
【００３０】
符号３４がシャッター板２３の駆動機構であり、その内部構造を示した状態が図７であり、駆動機構３４の要部の断面を図８に示す。
【００３１】
駆動機構３４のケーシング３５に外付けされた駆動源となるモータ３６の出力ギア３７には第１のギア３８が噛み合い、第１のギア３８と同軸の第１のウォームギア３９を介して第２のギア４０が噛み合い、第２のギア４０に軸４１と同軸状に第２のウォームギア４２を有し、そして第２のウォームギア４２に第３のギア４３が噛み合うようにした減速機構を構成している。
【００３２】
そして、第３のギア４３は駆動軸４４にフリーに回転可能に支軸されている。この駆動軸４４の一端部には出力軸４５が圧入により一体にされ、出力軸４５はリング４６を介してケーシング３５に軸支されている。出力軸４５の先端部はフランジ状軸部４５ａとなってケーシング３５外に突き出ている。また、駆動軸４４の他端部はストッパ４７を介してケーシング３５の蓋部３５ａに軸支されている。そして、第３のギア４３と出力軸４５との間の駆動軸４４に装入されるようにしてクラッチばね４８が配置されている。
【００３３】
このクラッチばね４８はその一端部は出力軸４５に高い摩擦力で圧接されているが、他端部はフリクションプレート４９を介して第３のギア４３にフリクション接合されている。これによって、第３のギア４３と出力軸４５とはクラッチ機構５０を構成している。
【００３４】
このように構成された駆動機構３４は、出力軸４５のフランジ状軸部４５ａが上述したカム板２４の割り溝２９に軸合わせされて係合され、出力軸４５によりカム板２４を回動する。これにより、前面パネル２１の支点軸２６と係合するカム板２４の一面側の支点軸孔２５、このカム板２４の他面側の割り溝２９と係合する駆動機構３４の出力軸４５のフランジ状軸部４５ａとが図１０に示すように同軸上に軸合わせされた状態となる。
【００３５】
このように軸合わせすることにより、前面パネル２１の支点軸２６と、カム板２４の支点軸孔２５及び出力軸４５のフランジ状軸部４５ａとの芯合わせが簡単な構成で行うことができる。
【００３６】
また、駆動機構３４はそのケーシング３５の一つの取付片３５ａが押さえ板３１の止め部５１にねじ５２により固定され、ケーシング３５の別の取付片３５ｂが前面パネル２１の図示しない止め部にねじ５３により固定される。
【００３７】
次にシャッター板２３の開放（以下、開扉という）と、閉止（以下、閉扉という）の動作について説明する。なお、シャッター板２３にはここでは図示しないが開扉したことを検出するための開扉スイッチと、閉扉したことを検出するための閉扉スイッチとがある。
【００３８】
図９ａはシャッター板２３が前面パネル２１の窓孔２２を閉扉して撮影レンズを保護している状態、つまり、ビデオカメラの非撮影状態であり、この非撮影状態ではビデオカメラの電源はオフにされている。
【００３９】
ビデオカメラの電源がオンされると、シャッター板２３は閉扉状態から開扉動作に移動する。すなわち、モータ３６が駆動し減速機構を介して第３のギア４３が回転する。シャッター板２３が開扉方向への移動中、指等で外力をかけない通常の開扉動作では、第３のギア４３はフリクションプレート４９を介してクラッチばね４８及び出力軸４５と共に一体に回転する。出力軸４５の回転によりその先端部のフランジ状軸部４５ａと係合しているカム板２４の支点軸である割り溝２９が矢印ａ方向に回転されることで、カム板２４が反時計回り方向に回動する。このカム板２４の回動により、カム溝２７に係合しているカムピン２８を介してシャッター板２３は図９ｂに示すようにガイド溝２１ａに沿って引き下げられ開扉され、シャッター板２３が開扉されたことを開扉スイッチが検出されビデオカメラの撮影モード状態となる。
【００４０】
また、ビデオカメラの電源がオフされることで、シャッター板２３は開扉から閉扉動作に移動する。この閉扉動作ではモータ３６は逆転し、カム板２４の支点軸である割り溝２９が図９ｂにおいて矢印ｂ方向に回転されることで、カム板２４が時計回り方向に回動する。このカム板２４の回動により、カム溝２７に係合しているカムピン２８を介してシャッター板２３は図９ａに示すようにガイド溝２１ａに沿って押し上げられ開扉され、シャッター板２３が閉扉されたことを閉扉スイッチが検出されビデオカメラの非撮影状態となる。
【００４１】
この際、シャッター板２３は開扉動作がメカ的に完了し開扉スイッチが開扉したことを検出した状態、あるいは、閉扉動作がメカ的に完了し閉扉スイッチが閉扉したことを検出した状態でも、所定時間モータ３６は駆動し続けるようにし、その後、モータ３６が停止される。これは、駆動機構を構成する減速機構及びスクラッチ機構のバラツキや、カム板２４及びシャッター板２３との組付けのバラツキがあっても、シャッター板２３が確実に開扉動作及び閉扉動作を行うためにオーバーストローク状態にされている。
【００４２】
ここで、例えば、シャッター板２３が開扉状態から電源をオフし閉扉動作している状態において、シャッター板２３に指等を挟み、シャッター板２３の動きを阻害したとき、モータ３６を含め駆動機構や減速機構、カム板２４、シャンター板２３を破損することが生じる。そこで、本発明はシャッター板２３の動きが阻害されたような場合、クラッチ機構５０が作動する。すなわち、シャッター板２３の動きが阻害したとき、駆動機構３４の出力軸４５は停止するが、モータ３６からの駆動力は減速機構を介して第３のギア４３は回り続けるが、第３のギア４３とフリクションプレート４９とがフリクション作用し、このため、モータ３６からの駆動力は出力軸４５に伝わることもなくモータ３６を含め駆動機構や減速機構、カム板２４、シャンター板２３の破損を防止することができる。
【００４３】
また、上述したシャッター板２３が開扉状態から電源をオフし、閉扉動作するときの当該シャッター板２３の動きを図１１に示したフローチャートについて説明する。
【００４４】
まず、ステップ１０１において、ビデオカメラの電源をオフする。電源がオフされていれば、ステップ１０２において、シャッター板２３が閉扉される方向にモータ３６を駆動する。そして、ステップ１０３では、シャッター板２３が所定の時間内に閉扉されてたか否かが判断される。シャッター板２３が所定の時間内に閉扉された場合には、ステップ１０８に移りビデオカメラの電源が遮断される。
【００４５】
一方、ステップ１０３において、例えば、閉扉動作中のシャッター板２３に指等を挟んでシャッター板２３を停止させ、シャッター板２３が所定の時間内に閉扉されなかった場合には、シャッター板２３を開扉する方向にモータ３６を駆動する（ステップ１０４）。そして、ステップ１０５において、シャッター板２３が所定の時間内に開扉された場合は、「シャッターを閉じれませんでした」の表示あるいは音声によりユーザーに警告を発する（ステップ１０６）。このあと、ビデオカメラの電源を遮断して（ステップ１０８）終了する。
【００４６】
また、ステップ１０５において、シャッター板２３が所定の時間内に開扉されなかった場合には、モータ３６の回転を停止し（ステップ１０７）、「シャッターを閉じれませんでした」の表示あるいは音声によりユーザーに警告を発する（ステップ１０６）。このあと、ビデオカメラの電源を遮断して（ステップ１０８）終了する。
【００４７】
このようにすることによって、シャッター板に外力が加わり、閉止されなかった状態を文字表示あるいは音声による警告を行うことで、シャッター板２３が開扉されたままであることをユーザーが認識することができる。
【００４８】
本発明は、以上のように、シャッター板２３、カム板２４と駆動機構３４とを概略シャッター板２３の幅の中に縦長に配置し構成することを可能としたので、特にビデオカメラのよう撮影レンズ部２の付いている面が縦長で横幅の狭い形状の撮影装置にシャッター開閉機構を搭載することを可能としたものであり、本発明のような超小型な撮像装置においても快適に操作することを可能としたものである。更に、このような限られた大きさの中に、一番力がかかるカム板２４の回転中心軸の部分にクラッチ機構５０を入れることにより、シャッター板２３による指挟みやシャッター板２３の無理なこじ開けにも駆動機構３４等を壊すことなく使えるようにすることを可能としたものである。
【００４９】
本発明は、上述しかつ図面に示した実施の形態に限定されるものでなく、その要旨を逸脱しない範囲内で種々の変形実施が可能である。
【００５０】
本発明による撮像装置は、マイクロＭＶビデオカメラの記録再生媒体がテープカセットの場合について説明したが、記録再生媒体がディスクの場合であってもよい。
【００５１】
また、撮像装置としてマイクロＭＶビデオカメラを例にとって説明したが、その他、デジタルスチルカメラ等のシャッター機構にも広く適用可能である。
【図面の簡単な説明】
【００５２】
【図１】本発明の実施の形態におけるマイクロＭＶビデオカメラの全体の外観斜視図である。
【図２】同じくマイクロＭＶビデオカメラをストラップ側から見た外観斜視図である。
【図３】同じくマイクロＭＶビデオカメラを底面側から見た外観斜視図である。
【図４】同じくマイクロＭＶビデオカメラの液晶表示パネルを開放した状態と、メモリカードを示した外観斜視図である。
【図５】シャッター機構をビデオカメラ本体の前面側から見た分離状態の斜視図である。
【図６】同じくシャッター機構をビデオカメラ本体１の背面側から見た分離状態の斜視図である。
【図７】シャッター機構を駆動するためのモータを有し、クラッチ機構を備えた駆動機構の組付け状態の斜視図である。
【図８】クラッチ機構を示した図７のＡ−Ａ線断面図である。
【図９】ａ  シャッター板が閉じた状態をビデオカメラ本体の背面側から見た動作図である。  ｂ  同じくシャッター板が開放した状態をビデオカメラ本体の背面側から見た動作図である。
【図１０】前面パネルの支点軸と、カム板の支点軸孔及び出力軸のフランジ状軸部との芯合わせ状態の断面図である。
【図１１】シャッター板が開扉状態から電源をオフし、閉扉動作するときのシャッター板の動きを示したフローチャート図である。
【符号の説明】
【００５３】
１…ビデオカメラ本体、２…撮影レンズ、１４…液晶表示パネル、１５…２軸ヒンジ機構、１６…液晶表示面、２１…前面パネル、２２…窓孔、２３…シャッター板、２４…カム板、２６…支点軸、２７…カム溝、２８…カムピン、２９…カム板の割り溝、３４…駆動機構、３６…モータ、４５…出力軸、４５ａ…フランジ状軸部、４８…クラッチばね、４９…フリクションプレート、５０…クラッチ機構
【図１】
2005077574.tif 000003
【図２】
2005077574.tif 000004
【図３】
2005077574.tif 000005
【図４】
2005077574.tif 000006
【図５】
2005077574.tif 000007
【図６】
2005077574.tif 000008
【図７】
2005077574.tif 000009
【図８】
2005077574.tif 000010
【図９】
2005077574.tif 000011
【図１０】
2005077574.tif 000012
【図１１】
2005077574.tif 000013
【手続補正書】
【提出日】平成16年9月22日(2004.9.22)
【手続補正１】
【補正対象書類名】特許請求の範囲
【補正対象項目名】全文
【補正方法】変更
【補正の内容】
【特許請求の範囲】
【請求項１】
ビデオカメラやデジタルスチルカメラ等のカメラ装置であって、カメラ本体部に撮影レンズを有し、上記撮影レンズを保護するためのレンズカバーである開閉可能のシャッター機構を備えた撮像装置において、
上記シャッター機構は、駆動源となるモータにより減速機構を介して回転出力する出力軸を有する駆動機構と、
上記駆動機構の上記出力軸と係合され、当該出力と同軸な軸機構を介して回動されるカム板と、
上記カム板のカム溝と係合され、上記カメラ本体部に対して縦向きに上下に摺動し上記撮影レンズの前面を開閉移動するシャッター板と、
上記駆動手段には開閉動作中の上記シャッター板に所定以上の外力が加わったとき、上記出力軸と上記モータとの駆動伝達系が遮断されるクラッチ機構と
から構成したことを特徴とする撮像装置。
【請求項２】
請求項１に記載の撮像装置において、
上記クラッチ機構は、上記モータと直結されて回転するギアと、上記出力軸と一体化された軸部とが同軸状にフリーに軸支されると共に、上記ギアと上記出力軸との間にクラッチばねが介装され、上記ギアと上記クラッチばねとがフリクション係合されるようにしたことを特徴とする撮像装置。
【請求項３】
請求項１に記載の撮像装置において、
上記軸機構は、上記カム板の一方の面に設けた軸孔が上記カメラ本体側の支持軸に軸係合されると共に、上記カム板の他方の面に設けた隆起する割り溝に上記出力軸の先端部に形成したフランジ状軸部が軸係合されるようにしたことを特徴とする撮像装置。
【請求項４】
請求項１に記載の撮像装置において、
上記シャッター板に外力が加わり、上記シャッター板が開放されたままの状態となったとき、文字表示あるいは音声で警告を発するようにしたことを特徴とする撮像装置。
【手続補正２】
【補正対象書類名】明細書
【補正対象項目名】０００６
【補正方法】変更
【補正の内容】
【０００６】
上記の課題を解決し、本発明の目的を達成するため、本発明による請求項１に記載の撮像装置は、ビデオカメラやデジタルスチルカメラ等のカメラ装置であって、カメラ本体部に撮影レンズを有し、撮影レンズを保護するためのレンズカバーである開閉可能のシャッター機構を備えた撮像装置において、シャッター機構は、駆動源となるモータにより減速機構を介して回転出力する出力軸を有する駆動機構と、駆動機構の上記出力軸と係合され、当該出力と同軸な軸機構を介して回動されるカム板と、カム板のカム溝と係合され、カメラ本体部に対して縦向きに上下に摺動し上記撮影レンズの前面を開閉移動するシャッター板と、駆動手段には開閉動作中の上記シャッター板に所定以上の外力が加わったとき、出力軸と上記モータとの駆動伝達系が遮断されるクラッチ機構とから構成したことを特徴とする。